(57)【特許請求の範囲】
【請求項１】
画像情報を相手側装置へ送信するファクシミリ機能を有するファクシミリ装置において、
前記相手側装置へ送信する原稿のサイズを示す第１サイズ情報を取得する第１サイズ取得手段と、
前記相手側装置へ送信する原稿から、前記第１サイズ取得手段で取得した第１サイズ情報が示すサイズの画像情報を取得する情報取得手段と、
その情報取得手段によって取得した画像情報を記憶する画像記憶手段と、
前記相手側装置と対応付けて、前記相手側装置で受信可能な原稿のサイズを示す原稿サイズ情報を記憶する原稿サイズ情報記憶手段と、
前記情報取得手段によって複数の原稿の各々から取得した複数の画像情報のうち、少なくとも２以上の画像情報を結合した結合画像情報を、前記原稿サイズ情報記憶手段に記憶されている原稿サイズ情報に応じて生成する結合情報生成手段と、
前記相手側装置との間で回線が閉結された場合に、前記相手側装置から前記相手側装置で受信可能な原稿のサイズを示す第２サイズ情報を取得する第２サイズ取得手段と、
その第２サイズ取得手段によって取得した第２サイズ情報が示すサイズが、前記原稿サイズ情報記憶手段に記憶されている原稿サイズ情報が示すサイズより小さいかを判定する判定手段と、
前記情報取得手段によって前記画像情報を取得した後であって、前記結合情報生成手段によって前記結合画像情報を生成した後で、前記相手側装置を発呼し、前記判定手段によって前記第２サイズ情報が示すサイズが、前記原稿サイズ情報が示すサイズより小さいと判定された場合、前記画像記憶手段に記憶されている画像情報を前記相手側装置へ送信し、前記判定手段によって前記第２サイズ情報が示すサイズが、前記原稿サイズ情報が示すサイズ以上と判定された場合、前記結合情報生成手段によって生成した結合画像情報を前記相手側装置へ送信する画像送信手段とを備えていることを特徴とするファクシミリ装置。
【請求項２】
前記原稿サイズ情報記憶手段に記憶されている原稿サイズ情報と、前記第１サイズ取得手段によって取得した第１サイズ情報とを比較する第１比較手段を備え、
前記結合情報生成手段は、前記第１比較手段による比較の結果、前記原稿サイズ情報が示すサイズが、前記第１サイズ情報が示すサイズの２倍以上である場合に、少なくとも２以上の画像情報を結合して結合画像情報を生成することを特徴とする請求項１に記載のファクシミリ装置。
【請求項３】
前記第１サイズ取得手段によって取得した第１サイズ情報と、前記原稿サイズ情報記憶手段に記憶されている原稿サイズ情報とに基づいて、前記原稿サイズ情報が示すサイズ内に収容可能な前記第１サイズ情報が示すサイズの最大数を設定する画像数設定手段を備え、
前記結合情報生成手段は、前記画像数設定手段によって設定される最大数の画像情報を結合して結合画像情報を生成することを特徴とする請求項１または２記載のファクシミリ装置。
【請求項４】
前記画像数設定手段は、前記第１サイズ情報が示すサイズの第１形状と、前記原稿サイズ情報が示すサイズの第２形状との形状を一定とし、その第２形状内に前記第１形状の全体を収容可能な前記第１形状の最大数を設定することを特徴とする請求項３記載のファクシミリ装置。
【請求項５】
前記相手側装置へ送信する結合画像情報を生成する画像情報の結合数を設定する結合数設定手段と、
その結合数設定手段によって設定される結合数と、前記第１サイズ取得手段によって取得した第１サイズ情報とに基づいて、前記相手側装置へ送信する結合画像情報によって示される画像面積に応じた結合サイズ情報を設定する結合サイズ設定手段と、
前記原稿サイズ記憶手段に記憶されている原稿サイズ情報と、前記結合サイズ設定手段によって設定した結合サイズ情報とを比較する第２比較手段とを備え、
前記結合情報生成手段は、前記第２比較手段による比較の結果、前記原稿サイズ情報が示すサイズが、前記結合サイズ情報が示すサイズより大きい場合に、前記結合数設定手段によって設定された結合数の画像情報を結合して結合画像情報を生成することを特徴とする請求項１または２記載のファクシミリ装置。
【請求項６】
画像を表示可能な表示手段と、
前記画像数設定手段によって設定された前記最大数に基づいて、前記結合画像情報に結合可能な画像情報の数の全てを抽出する結合可能数抽出手段と、
その結合可能数抽出手段によって抽出された全ての前記結合画像情報に結合可能な画像情報の数を前記表示手段に表示する第１表示制御手段と、
その第１表示制御手段によって前記表示手段に表示された全ての前記画像情報の数の中から一の画像情報の数を選択する選択手段とを備え、
前記結合情報生成手段は、前記選択手段によって選択された画像情報の数分の画像情報を結合して結合画像情報を生成することを特徴とする請求項３または４記載のファクシミリ装置。
【請求項７】
前記情報取得手段は、原稿の画像を画像情報として読み取る読取手段を有し、その読取手段によって読み取られる画像情報を取得するものであり、
前記画像送信手段によって送信される結合画像情報は、第１方向が第１解像度で構成され、その第１方向と直角に交差する第２方向が第２解像度で構成される画像を形成する画像情報として構成され、
前記結合数設定手段によって設定される結合数または前記選択手段によって選択される画像情報の数と、前記原稿サイズ記憶手段に記憶されている原稿サイズ情報とに基づいて、前記情報取得手段によって取得される画像情報により示される前記原稿の画像の配置を前記結合画像情報に基づく画像の領域内において設定する配置設定手段と、
前記読取手段によって原稿の画像を読み取る場合に、前記配置設定手段によって設定された原稿の画像の配置において、前記結合画像情報に基づく画像の第１方向に対応する前記原稿の画像の読み取りを第１解像度に設定し、前記結合画像情報に基づく画像の第２方向に対応する前記原稿の画像の読み取りを第２解像度に設定する解像度設定手段とを備えていることを特徴とする請求項５または６記載のファクシミリ装置。
【請求項８】
前記原稿は、矩形状の記録媒体で構成され、
前記情報取得手段は、前記読取手段によって読み取られる原稿の形状に応じた矩形状の画像を形成する画像情報を取得し、
前記配置設定手段は、
前記結合数設定手段によって設定される結合数をＸ、または、前記選択手段によって選択される画像情報の数をＸとし、２を底とするＸの対数において小数点以下を切り上げた整数ｎを算出する配置数算出手段を備え、
前記配置数算出手段によって算出された整数ｎが奇数であれば、前記結合画像情報に基づく画像の領域内において前記原稿の長手方向の画像が第１方向に沿い、その長手方向と直角に交差する短手方向の画像が第２方向に沿う配置を設定し、前記整数ｎが偶数であれば、前記結合画像情報に基づく画像の領域内において前記原稿の長手方向の画像が第２方向に沿い、前記原稿の短手方向の画像が第１方向に沿う配置を設定することを特徴とする請求項７記載のファクシミリ装置。
【請求項９】
前記読取手段によって読み取られた画像情報の順番と、前記結合画像情報に基づく画像の領域内において各画像情報に基づく画像を配置する位置とを対応づける配置パターン情報を記憶するパターン記憶手段を備え、
前記画像記憶手段は、前記読取手段によって読み取られた順番に関連づけて前記情報取得手段によって取得した画像情報を記憶し、
前記結合情報生成手段は、前記画像記憶手段に記憶されている画像情報の画像を前記パターン記憶手段に記憶されている配置パターン情報に従って配置した結合画像情報を生成することを特徴とする請求項７または８記載のファクシミリ装置。
【発明の詳細な説明】
【技術分野】
【０００１】
本発明は、ファクシミリ装置に関するものである。
【背景技術】
【０００２】
従来より、原稿の画像を読み取り、その読み取った画像に応じた画像データを生成して相手側装置へ送信するファクシミリ装置が知られている。この種のファクシミリ装置では、相手側装置との通信時間が長いほど通信費用が高額となるため、可能な限り通信時間を軽減することが要望されている。次の特許文献１には、原稿の画像を間引いて読み取り、生成する画像データのデータ量を減少させて相手側装置へ送信することで、通信時間を軽減する技術が記載されている。
【特許文献１】特開平１０−２２９４８１号公報（００３９段落など）
【発明の開示】
【発明が解決しようとする課題】
【０００３】
しかしながら、特許文献１記載のファクシミリ装置では、原稿の画像データのデータ量を減少させたとしても、送信する原稿の枚数が多くなると、各原稿の画像データを相手側装置へ送信する手順が増すので、大幅に通信時間を軽減することはできないという問題点があった。また、上述したように、特許文献１記載のファクシミリ装置よりも更に通信時間を軽減可能なファクシミリ装置が要望されている。
【０００４】
本発明は、上述した問題を解決するためになされたものであり、相手側装置との通信時間を軽減することができるファクシミリ装置を提供することを目的とする。
【課題を解決するための手段】
【０００５】
この目的を達成するために、請求項１記載のファクシミリ装置は、画像情報を相手側装置へ送信するファクシミリ機能を有するものであって、前記相手側装置へ送信する原稿のサイズを示す第１サイズ情報を取得する第１サイズ取得手段と、前記相手側装置へ送信する原稿から、前記第１サイズ取得手段で取得した第１サイズ情報が示すサイズの画像情報を取得する情報取得手段と、その情報取得手段によって取得した画像情報を記憶する画像記憶手段と、前記相手側装置と対応付けて、前記相手側装置で受信可能な原稿のサイズを示す原稿サイズ情報を記憶する原稿サイズ情報記憶手段と、前記情報取得手段によって複数の原稿の各々から取得した複数の画像情報のうち、少なくとも２以上の画像情報を結合した結合画像情報を、前記原稿サイズ情報記憶手段に記憶されている原稿サイズ情報に応じて生成する結合情報生成手段と、前記相手側装置との間で回線が閉結された場合に、前記相手側装置から前記相手側装置で受信可能な原稿のサイズを示す第２サイズ情報を取得する第２サイズ取得手段と、その第２サイズ取得手段によって取得した第２サイズ情報が示すサイズが、前記原稿サイズ情報記憶手段に記憶されている原稿サイズ情報が示すサイズより小さいかを判定する判定手段と、前記情報取得手段によって前記画像情報を取得した後であって、前記結合情報生成手段によって前記結合画像情報を生成した後で、前記相手側装置を発呼し、前記判定手段によって前記第２サイズ情報が示すサイズが、前記原稿サイズ情報が示すサイズより小さいと判定された場合、前記画像記憶手段に記憶されている画像情報を前記相手側装置へ送信し、前記判定手段によって前記第２サイズ情報が示すサイズが、前記原稿サイズ情報が示すサイズ以上と判定された場合、前記結合情報生成手段によって生成した結合画像情報を前記相手側装置へ送信する画像送信手段とを備えている。
【０００６】
【０００７】
【０００８】
【０００９】
【００１０】
【００１１】
【００１２】
【００１３】
【００１４】
【発明の効果】
【００１５】
請求項１記載のファクシミリ装置によれば、相手側装置へ複数の画像情報を送信する場合、その複数の画像情報の少なくとも２以上の画像情報を結合した結合画像情報が相手側装置へ送信される。よって、複数の画像情報を全て１つずつ相手側装置へ送信する場合と比較して、少なくとも１回以上は画像情報を送信する回数が減少する。従って、一の画像情報の送信完了を示す送信完了信号を相手側装置へ送信する送信回数および相手側装置からの応答回数が減少するので、通信時間を軽減することができる。また、結合画像情報を生成した後で相手側装置を発呼するので、相手側装置との通信中に結合画像情報が生成されておらず、通信中に結合画像情報が生成されるのを待機する、という事態が発生しない。よって、通信時間を軽減することができるという効果がある。また、相手側装置から相手側装置で受信可能な原稿のサイズを示す第２サイズ情報を取得し、その第２サイズ情報が示すサイズが、原稿サイズ情報が示すサイズより小さいかと判定された場合、結合画像情報に代えて前記画像記憶手段に記憶されている画像情報を送信するので、結合画像情報を送信した結果、相手側装置で結合画像情報の全部が出力されない、という事態が発生するのを防止することができる。
【００１６】
請求項２記載のファクシミリ装置によれば、請求項１記載のファクシミリ装置の奏する効果に加え、原稿サイズ情報が示すサイズが、第１サイズ情報が示すサイズの２倍以上である場合に、少なくとも２以上の画像情報を結合した結合画像情報を生成する。よって、画像情報に基づく画像を縮小せずに画像情報を結合させた結合画像情報を生成して相手側装置へ送信することができるので、結合画像情報に基づく画像において画像の縮小などにより画像の潰れが生じる可能性を抑制することができるという効果がある。
【００１７】
請求項３記載のファクシミリ装置によれば、請求項１または２に記載のファクシミリ装置の奏する効果に加え、原稿サイズ情報が示すサイズ内に収容可能な第１サイズ情報が示すサイズの最大数が画像数設定手段によって設定され、その最大数の画像情報を結合した結合画像情報が相手側装置へ送信される。よって、相手側装置が一の結合画像情報の受信において受信可能な最大数の画像情報を結合した結合画像情報を、相手側装置へ送信することができるので、一の画像情報の送信完了を示す送信完了信号を相手側装置へ送信する送信回数をさらに減少させることができる。従って、通信時間をさらに軽減することができるという効果がある。
【００１８】
請求項４記載のファクシミリ装置によれば、請求項３記載のファクシミリ装置の奏する効果に加え、第１サイズ情報が示すサイズの形状を第１形状とし、原稿サイズ情報が示すサイズの形状を第２形状とし、各々の形状を一定とした場合において、第２形状内に収容可能な、第１形状の全体の最大数が画像数設定手段によって設定される。よって、結合画像情報に基づく画像領域内に、画像情報に基づく画像全体が欠けたり又は切れたりせずに最大数配置した結合画像情報を生成することができるので、結合画像情報に基づく画像の受信者がその内容を理解し易いという効果がある。
【００１９】
請求項５記載のファクシミリ装置によれば、請求項１または２に記載のファクシミリ装置の奏する効果に加え、結合画像情報を生成する画像情報の結合数が結合数設定手段によって設定され、その結合数と、第１サイズ情報が示すサイズとに応じた結合サイズ情報が結合サイズ設定手段によって設定される。原稿サイズ情報が示すサイズが、結合サイズ情報が示すサイズよりも大きい場合に、結合数設定手段によって設定された結合数の画像情報を結合した結合画像情報が相手側装置へ送信される。よって、相手側装置が結合画像情報を受信可能な場合に、結合画像情報を相手側装置へ送信することができるので、画像情報に基づく画像が欠けたり又は切れたりせずに画像全体が結合された結合画像情報を、相手側装置へ送信することができるという効果がある。
【００２０】
請求項６記載のファクシミリ装置によれば、請求項３または４記載のファクシミリ装置の奏する効果に加え、表示手段には、相手側装置が一の結合画像情報の受信において受信可能な全ての画像情報の数が表示される。その表示手段に表示された全ての画像情報の数の中から、一の画像情報の数が選択手段によって選択され、選択手段によって選択された一の数の画像情報を結合した結合画像情報が相手側装置へ送信される。よって、操作者は、表示手段に表示される画像情報の数の中から、画像情報を結合する数を容易に選択することができるという効果がある。
【００２１】
請求項７記載のファクシミリ装置によれば、請求項５または６記載のファクシミリ装置の奏する効果に加え、結合画像情報は、第１方向が第１解像度で構成され、第２方向が第２解像度で構成される画像を形成する画像情報で構成されるので、結合情報生成手段は、例えば、画像情報を結合する前に各画像情報に基づく画像の解像度を変更する処理や、画像情報を結合した後に画像の解像度を変更する処理を行わなければならない。しかし、予め、結合画像情報に基づく画像の第１方向に対応する原稿の画像を第１解像度で読み取り、第２方向に対応する原稿の画像を第２解像度で読み取ることで、画像の解像度を変更する処理を行わなくて良い。よって、相手側装置へ送信可能な結合画像情報を生成する時間を軽減することができるとともに、画像の潰れが生じる可能性を抑制することができるという効果がある。
【００２２】
請求項８記載のファクシミリ装置によれば、請求項７記載のファクシミリ装置の奏する効果に加え、結合数設定手段によって設定される結合数をＸ、または、選択手段によって選択される画像情報の数をＸとし、２を底とするＸの対数において小数点以下を切り上げた整数ｎが配置数算出手段によって算出される。配置設定手段は、整数ｎが奇数であれば、結合画像情報に基づく画像の領域内において、原稿の長手方向の画像が第１方向に沿い、原稿の短手方向の画像が第２方向に沿う配置を設定し、整数ｎが偶数であれば、結合画像情報に基づく画像の領域内において、原稿の長手方向の画像が第２方向に沿い、原稿の短手方向の画像が第１方向に沿う配置を設定する。よって、整数ｎが奇数であれば、読取手段によって原稿の長手方向の画像が第１解像度によって読み取られ、原稿の短手方向の画像が第２解像度によって読み取られる。また、整数ｎが偶数であれば、原稿の長手方向の画像が第２解像度によって読み取られ、原稿の短手方向の画像が第１解像度によって読み取られる。従って、原稿の画像の配置に規則性を持たせた結合画像情報を生成することができるという効果がある。
【００２３】
請求項９記載のファクシミリ装置によれば、請求項７または８記載のファクシミリ装置の奏する効果に加え、画像記憶手段に記憶されている画像情報に基づく画像が、パターン記憶手段に記憶されている配置パターン情報に従って、結合情報生成手段により配置され結合画像情報が生成される。よって、各画像情報に基づく画像が無規則に配置される場合と比較して、結合画像情報に基づく画像の受信者が、各原稿の画像の内容を理解し易いという効果がある。
【００２４】
【発明を実施するための最良の形態】
【００２５】
以下、本発明の好ましい実施形態について、添付図面を参照して説明する。図１は、本発明の実施形態におけるファクシミリ装置を有した多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示した斜視図である。ＭＦＰ１は、電話回線網１００（図２参照）を介して接続される被呼側装置２００（図２参照）とファクシミリ通信可能に構成されている。また、このＭＦＰ１は、プリンタ機能、スキャナ機能、及び、コピー機能などの各種機能も有している。
【００２６】
本実施形態のＭＦＰ１は、被呼側装置２００で受信可能な原稿サイズ（用紙サイズ）が、ＭＦＰ１から被呼側装置２００へ送信する原稿の原稿サイズの２倍以上であれば、送信する原稿の画像を２つずつ結合し、また、４倍以上であれば送信する原稿の画像を４つずつ結合して被呼側装置２００へ送信する機能を有している。
【００２７】
ＭＦＰ１の本体の前面には、開口部５が設けられ内部が上下に仕切られている。開口部５の下側には、複数枚の記録用紙を積層収納可能な給紙カセット３が挿入されている。給紙カセット３は、Ａ４サイズ等にカットされた記録用紙が収納可能に構成されている。開口部５の上側は記録済みの記録用紙が排紙される排紙部４となっている。
【００２８】
本体の内部には、ＣＰＵ１１（図２参照）からの指示に基づいて、所定の給紙位置（非図示）にセットされた記録用紙への記録を行うためのインクジェット方式のプリンタ２１が内蔵されている。プリンタ２１は、記録用紙を搬送する記録用紙搬送用モータ（非図示）と、記録用紙へインクを吐出する印字ヘッド（非図示）と、その印字ヘッドを搭載したキャリッジ（非図示）を移動させるキャリッジモータ（非図示）とを有している。
【００２９】
開口部５の上部には、ファクシミリ機能やスキャナ機能やコピー機能の実行時に、原稿を読み取るためのスキャナ２０が配置されている。このスキャナ２０では、原稿サイズ「Ａ４」までの大きさの原稿を読み取ることができる。原稿カバー体８の下側には、原稿を載置するための載置用ガラス板（図示しない）が設けられており、原稿を読み取る場合は、原稿カバー体８を上側に開き、載置用ガラス板上に原稿を載置し、原稿カバー体８を閉じて原稿を固定する。
【００３０】
なお、原稿をスキャナ２０に読み取らせた場合に生成される原稿の画像の向き（上下方向）を統一するために、載置用ガラス板上に載置する原稿の向きが予め定められており、操作者は、その方向に従って原稿を載置することとなる。
【００３１】
そして、操作者が、操作キー１５のＦＡＸ送信開始キー１５ｆを押下すると、載置用ガラス板の下側に設けられている原稿読取センサー（図示しない）によって、載置用ガラス板上に載置されている原稿の画像が読み取られる。原稿読取センサーとしては、例えばＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）が用いられている。
【００３２】
なお、原稿読取センサーは、載置用ガラス板上において原稿読取センサーが読取可能な領域のうち、ＲＡＭ１３（図２参照）の原稿サイズメモリ１３ｂに記憶されている原稿サイズに対応する領域のみを読み取る。例えば、原稿サイズメモリ１３ｂに原稿サイズが「Ａ４」と記憶されている場合は、「Ａ４」に対応する載置用ガラス板上の領域のみが読み取られる。
【００３３】
また、原稿読取センサーは、読み取る領域の主走査方向Ｘを読取解像度メモリ１３ａの主走査解像度メモリ１３ａ１に記憶されている解像度で、副走査方向Ｙを副走査解像度メモリ１３ａ２に記憶されている解像度で読み取る。
【００３４】
原稿読取センサーによって原稿の画像が読み取られると、原稿の画像に応じた画像データが生成され、ＲＡＭ１３の原稿画像メモリ１３ｄに記憶される。なお、原稿が複数読み取られた場合には、原稿が読み取られた順番に、各原稿の画像データが原稿画像メモリ１３ｄ（図２（ｂ）参照）に記憶される。
【００３５】
原稿カバー体８の前方には、横長形状の操作パネル６が設けられており、操作キー１５、ＬＣＤ１６とを具備する。操作キー１５には、送信設定画面表示キー１５ａと、送信先選択キー１５ｂと、数字キー１５ｃと、画質選択キー１５ｄと、結合モード選択キー１５ｅと、ＦＡＸ送信開始キー１５ｆなどが設けられている。
【００３６】
送信設定画面表示キー１５ａは、ＦＡＸ送信設定画面（図５（ｂ）参照）をＬＣＤ１６に表示するためのキーである。操作者は、ＦＡＸ送信設定画面において、ＦＡＸを送信する送信先や、送信する画像の画質や、画像を結合して送信するか否かの設定や、画像を結合して送信する場合の画像の結合枚数などを指定することができる。送信先選択キー１５ｂは、予め登録されている複数の送信先の中から、送信先を選択するためのキーである。
【００３７】
数字キー１５ｃは、送信先のＦＡＸ番号を入力するためのキーである。画質選択キー１５ｄは、送信先へ送信する画像の画質を選択するためのキーである。結合モード選択キー１５ｅは、送信先へ送信する画像の結合形式を選択するためのキーである。ＦＡＸ送信開始キー１５ｆは、指定した送信先へファックスを送信開始するためのキーである。ＦＡＸ送信設定画面がＬＣＤ１６に表示されている場合に、操作者によってＦＡＸ送信開始キー１５ｆが押下されると、そのＦＡＸ送信設定画面の表示内容に従って原稿の画像データが送信される。また、操作者は、操作キー１５の各種キーを押下することで、例えば、電源のオン／オフや、各機能の切り替えなどの操作を行うことができる。
【００３８】
ＬＣＤ１６には、メニューや操作手順や実行中の処理の状態が表示される。また、操作キー１５の押下に対応する情報が表示されるので、操作者は送信先のＦＡＸ番号や、送信先へ送信された原稿枚数などの各種情報を確認することができる。
【００３９】
次に、図２を参照して、ＭＦＰ１の電気的構成について説明する。
【００４０】
図２（ａ）は、ＭＦＰ１の電気的構成を示すブロック図である。図２（ｂ）は、ＲＡＭ１３の原稿画像メモリ１３ｄの電気的構成を示すブロック図である。図２（ｃ）は、ＲＡＭ１３の結合画像メモリ１３ｈの電気的構成を示すブロック図である。
【００４１】
図２（ａ）に示すように、ＭＦＰ１は、ＣＰＵ１１、ＲＯＭ１２、ＲＡＭ１３、フラッシュメモリ１４、操作キー１５、ＬＣＤ１６、スキャナ２０、プリンタ２１、モデム２３、ＮＣＵ２４とを主に有している。
【００４２】
ＣＰＵ１１、ＲＯＭ１２、ＲＡＭ１３、フラッシュメモリ１４は、バスライン２６を介して互いに接続されている。また、操作キー１５、ＬＣＤ１６、スキャナ２０、プリンタ２１、モデム２３、ＮＣＵ２４、バスライン２６は、入出力ポート２７を介して互いに接続されている。
【００４３】
ＣＰＵ１１は、ＲＯＭ１２やＲＡＭ１３やフラッシュメモリ１４に記憶される固定値やプログラムに従って、ＭＦＰ１が有している各機能の制御や、入出力ポート２７と接続された各部を制御するものである。
【００４４】
ＲＯＭ１２は、ＭＦＰ１で実行される制御プログラムなどを格納した書換不能なメモリである。図５（ａ）のフローチャートに示すＦＡＸ送信処理、図６のフローチャートに示す送信画像サイズ決定処理、図７のフローチャートに示す原稿読取処理、図８のフローチャートに示す画像結合処理を実行する各プログラムは、このＲＯＭ１２に格納されている。
【００４５】
また、ＲＯＭ１２には、結合モードテーブルメモリ１２ａと、画像配列パターンメモリ１２ｂと、送信解像度テーブルメモリ１２ｃとが設けられている。
【００４６】
結合モードテーブルメモリ１２ａは、結合モードテーブル（詳しくは、図３（ａ）に後述する）が格納されているメモリである。結合モードテーブルは、操作者が、どの原稿サイズの原稿をスキャナ２０で読み取らせるのか、スキャナ２０に読み取らせた画像をどのように結合して被呼側装置２００へ送信するのかなどを指定するためのテーブルである。
【００４７】
画像配列パターンメモリ１２ｂは、画像配列パターン（詳しくは、図３（ｂ）に後述する）が複数格納されているメモリである。画像配列パターンは、複数の原稿の画像を結合させる場合に、各原稿の画像がどの位置に配置されるのかが示される画像の配列パターンである。本実施形態では、原稿２枚分の画像の配置を示す画像配列パターン「Ｘ」と、原稿４枚分の画像の配置を示す画像配列パターン「Ｙ」，「Ｚ」とが予め定められている。
【００４８】
送信解像度テーブルメモリ１２ｃは、送信解像度テーブル（詳しくは、図３（ｃ）に後述する）が格納されているメモリである。送信解像度テーブルは、操作者が、被呼側装置２００へ送信する原稿の画像の画質を指定するためのテーブルである。
【００４９】
ここで、図３（ａ）を参照して、結合モードテーブルメモリ１２ａに格納されている結合モードテーブルについて説明する。
【００５０】
図３（ａ）は、結合モードテーブルの内容の一例を示すイメージ図である。
【００５１】
結合モードテーブルは、操作者が、どの原稿サイズの画像をスキャナ２０で読み取らせるのか、スキャナ２０に読み取らせた画像をどのように結合して被呼側装置２００へ送信するのかなどを指定するためのテーブルである。
【００５２】
結合モードテーブルは、結合モード番号と、原稿サイズと、原稿の結合枚数と、結合画像サイズと、画像配列パターンとによって構成されており、一の結合モード番号毎に、一の原稿サイズと、一の原稿の結合枚数と、一の結合画像サイズと、一の画像配列パターンとが関連づけられている。
【００５３】
結合モード番号は、ＭＦＰ１が、どの原稿サイズの画像をスキャナ２０に読み取らせるのか、スキャナ２０に読み取らせた画像をどのように結合して被呼側装置２００へ送信するかなどを識別するための番号である。本実施形態では、結合モード番号「１」〜「９」が設けられており、各番号に応じた各種情報が関連づけられている。操作者は、原稿の画像を被呼側装置２００へ送信する前に、結合モード番号（１から９の中のいずれか）を１つ選択することとなり、結合モード番号が選択されると、その番号が後述するフラッシュメモリ１４の結合モード設定メモリ１４ｂに記憶される。
【００５４】
原稿サイズは、スキャナ２０に読み取らせる原稿の原稿サイズ（例えば、「Ａ４」など）を示す。原稿の結合枚数は、被呼側装置２００へ複数の原稿の画像を送信する場合に、原稿の画像を原稿何枚分ずつ結合して送信するかを示す原稿の枚数である。結合画像サイズは、複数の原稿の画像を結合した場合に生成される一の画像（以後、「結合画像」と称する）の大きさに対応する原稿サイズを示す。例えば、原稿サイズ「Ａ４」の原稿が２枚結合される場合は、結合画像サイズが「Ａ３」となる。画像配列パターンは、結合画像が生成された場合に、各原稿の画像が配置される位置が示される画像の配列パターン（図３（ｂ）参照）を示す。
【００５５】
例えば、図３（ａ）に示すように、結合モード番号「１」には、原稿サイズ「Ａ４」と、原稿の結合枚数「２」と、結合画像サイズ「Ａ３」と、画像配列パターン「Ｘ」とが関連づけられている。
【００５６】
操作者によって、結合モード番号「１」が選択されている場合は、スキャナ２０によって複数の原稿が読み取られると、各原稿の画像が２枚分ずつ１つに結合され、被呼側装置２００へ送信される。すなわち、被呼側装置２００へ送信される原稿が順番に、スキャナ２００によって読み取られる。スキャナ２０は、原稿サイズ「Ａ４」に対応する載置用ガラス板上の領域を読み取り画像データを生成する。原稿の結合枚数が「２」であるので、結合画像サイズは、「Ａ３」となる。また、読み取った原稿の画像が２枚分ずつ１つ画像に結合される場合に、結合画像内において各原稿の画像は、画像配列パターン「Ｘ」に従って配置される。
【００５７】
結合モード番号「２」〜「５」については、結合モード番号「１」と同様な説明となるので、その説明を省略する。操作者によって、結合モード番号「６」〜「９」が選択されている場合は、スキャナ２０によって読み取られた各原稿の画像は結合されずに、各原稿の画像が１枚分ずつ被呼側装置２００へ送信される。
【００５８】
次に、図３（ｂ）を参照して、画像配列パターンメモリ１２ｂに格納されている画像配列パターン「Ｘ」，「Ｙ」，「Ｚ」について説明する。
【００５９】
図３（ｂ）は、画像配列パターン「Ｘ」，「Ｙ」，「Ｚ」の内容の一例を示すイメージ図である。画像配列パターンは、複数の原稿の画像を結合させる場合に、各原稿の画像がどの位置に配置されるのかが示される画像の配列パターンである。
【００６０】
画像配列パターン「Ｘ」は、原稿２枚分の画像を１つに結合する場合の画像の配列パターンを示すものである。この画像配列パターン「Ｘ」では、スキャナ２０で複数の原稿の画像が読み取られた場合に、各原稿の画像が右回りに９０度回転させられ、各画像の長手方向が送信方向に対して直交するように配置される。また、１枚目に読み取られる画像が上方に配置され、２枚目に読み取られる画像が下方に配置される。
【００６１】
画像配列パターン「Ｙ」は、原稿４枚分の画像を１つに結合する場合の画像の配列パターンを示すものである。この画像配列パターン「Ｙ」では、スキャナ２０で複数の原稿の画像が読み取られた場合に、各原稿の画像を回転させずに、各画像の長手方向が送信方向に対して平行に配置される。また、１枚目に読み取られる画像が左上方に配置され、２枚目に読み取られる画像が右上方に配置され、３枚目に読み取られる画像が左下方に配置され、４枚目に読み取られる読み取った画像が右下方に配置されることを示す。
【００６２】
画像配列パターン「Ｚ」は、原稿４枚分の画像を１つに結合する場合の画像の配列パターンを示すものである。この画像配列パターン「Ｚ」は、スキャナ２０で複数の原稿の画像が読み取られた場合に、各原稿の画像を回転させずに、各原稿の画像の長手方向が、送信方向に対して平行に配置される。また、１枚目に読み取られる画像が左上方に配置され、２枚目に読み取られる画像が左下方に配置され、３枚目に読み取られる画像が右上方に配置され、４枚目に読み取られる読み取った画像が右下方に配置されることを示す。
【００６３】
次に、図３（ｃ）を参照して、送信解像度テーブルメモリ１２ｃに格納されている送信解像度テーブルについて説明する。
【００６４】
図３（ｃ）は、送信解像度テーブルの内容の一例を示すイメージ図である。送信解像度テーブルは、操作者が、被呼側装置２００へ送信する原稿の画像の画質を指定するためのテーブルである。
【００６５】
送信解像度テーブルは、被呼側装置２００へ送信する原稿の画像の画質と、その画質に応じた画像の解像度とによって構成されおり、一の画質に、一の主走査方向の解像度と、一の副走査方向の解像度とが関連づけられている。本実施形態では、「標準」、「ファイン（写真）」、「スーパーファイン」という３つの画質が予め定められている。
【００６６】
操作者は、原稿の画像を被呼側装置２００へ送信する前に、複数の画質の中から何れか一つの画質を選択することとなり、選択された画質は、後述するフラッシュメモリ１４の画質設定メモリ１４ｃに記憶される。なお、各画質に対応する解像度は、ファクシミリ通信の規格によって予め定められている値である。
【００６７】
例えば、図３（ｃ）に示すように、画質「標準」には、主走査方向解像度「２０３．２ｄｐｉ」と、副走査方向解像度「９７．７ｄｐｉ」とが関連づけられている。操作者によって、画質「標準」が選択されている場合は、主走査方向Ｘの画像が解像度「２０３．２ｄｐｉ」で形成され、副走査方向Ｙの画像が解像度「９７．７ｄｐｉ」で形成される画像データが、被呼側装置２００へ送信される。その他の画質（「ファイン（写真）」、「スーパーファイン」）については、画質「標準」と同様な説明となるので、その説明を省略する。
【００６８】
ここで、図２の説明に戻る。ＲＡＭ１３は、書き替え可能な揮発性のメモリであり、ＭＦＰ１の各操作の実行時に各種のデータを一時的に記憶するためのメモリである。ＲＡＭ１３には、読取解像度メモリ１３ａと、原稿サイズメモリ１３ｂと、原稿枚数メモリ１３ｃと、原稿画像メモリ１３ｄと、被呼側原稿サイズメモリ１３ｅと、結合画像サイズメモリ１３ｆと、結合送信フラグメモリ１３ｇと、結合画像メモリ１３ｈとが設けられている。
【００６９】
読取解像度メモリ１３ａは、スキャナ２０が原稿の画像の読み取りに用いる解像度が記憶されるメモリである。読取解像度メモリ１３ａには、主走査解像度メモリ１３ａ１と、副走査解像度メモリ１３ａ２とが設けられている。
【００７０】
主走査解像度メモリ１３ａ１は、スキャナ２０が原稿の画像を主走査方向Ｘに読み取る場合に用いる解像度が記憶されるメモリである。副走査解像度メモリ１３ａ２は、スキャナ２０が原稿の画像を副走査方向Ｙに読み取る場合に用いる解像度が記憶されるメモリである。
【００７１】
原稿サイズメモリ１３ｂは、スキャナ２０が読み取ることとなる原稿の原稿サイズが記憶されるメモリである。操作者によって、結合モード番号が１つ選択されると、選択された結合モード番号に対応する結合モードテーブル（図３（ａ）参照）の原稿サイズが、この原稿サイズメモリ１３ｂに記憶される。例えば、操作者によって結合モード番号「１」が選択されると、原稿サイズ「Ａ４」が記憶される。スキャナ２０は、この原稿サイズメモリ１３ｂに記憶されている原稿サイズに対応する載置用ガラス板上の領域を読み取る。なお、原稿サイズメモリ１３ｂに記憶される原稿サイズは、特許請求の範囲に記載の第１サイズ情報の一例に該当する。
【００７２】
原稿枚数メモリ１３ｃは、スキャナ２０によって読み取られた原稿の枚数が記憶されるメモリである。原稿画像メモリ１３ｄは、スキャナ２０で原稿の画像が読み取られた場合に、その読み取られた原稿の画像に応じた画像データが記憶されるメモリである。スキャナ２０によって複数の原稿の画像が読み取られた場合には、図２（ｂ）に示すように、原稿が読み取られた順番に各原稿の画像に応じた画像データが一つずつ生成され、その順番に各画像データが原稿画像メモリ１３ｄに記憶される。
【００７３】
被呼側原稿サイズメモリ１３ｅは、被呼側装置２００で受信可能な原稿サイズが記憶されるメモリである。詳細については、図４を参照して後述するが、被呼側装置２００からＭＦＰ１へ送信されるＤＩＳ信号４６には、被呼側装置２００で受信可能な最大の原稿サイズを示す情報が含まれている。ＭＦＰ１は、その被呼側装置２００から送信されるＤＩＳ信号４６を受信した場合に、その被呼側装置２００で受信可能な原稿サイズを、被呼側原稿サイズメモリ１３ｅに記憶する。例えば、「Ａ４」というように、原稿サイズが記憶される。なお、被呼側原稿サイズメモリ１３ｅに記憶される原稿サイズは、特許請求の範囲に記載の第２サイズ情報に該当する。
【００７４】
結合送信フラグメモリ１３ｇは、スキャナ２０によって複数の原稿の画像を読み取った場合に、複数の原稿の画像を結合した結合画像を生成して被呼側装置２００へ送信するか否かを示す結合送信フラグが記憶されるメモリである。結合送信フラグがオン（例えば、「１」）に設定されている場合は、被呼側装置２００へ結合画像が送信される。結合送信フラグがオフ（例えば、「０」）に設定されている場合は、スキャナ２０によって読み取られた各原稿の画像は結合されずに、各原稿の画像が１枚分ずつ被呼側装置２００へ送信される。
【００７５】
結合画像サイズメモリ１３ｆは、結合画像の原稿サイズを示す結合画像サイズが記憶されるメモリである。操作者によって、結合モード番号が１つ選択されると、選択された結合モード番号に対応する結合モードテーブル（図３（ａ）参照）の結合画像サイズが、この結合画像サイズメモリ１３ｆに記憶される。例えば、操作者によって結合モード番号「４」が選択されると、「Ｂ４」というように、結合画像サイズが記憶される。
【００７６】
結合画像メモリ１３ｈは、複数の原稿の画像を結合した結合画像が生成された場合に、その結合画像に応じた画像データ（以下、「結合画像データ」と称する）が記憶されるメモリである。図２（ｃ）に示すように、結合画像の結合画像データは、生成された順番に、一つずつ結合画像メモリ１３ｈに記憶される。
【００７７】
フラッシュメモリ１４は書換可能な不揮発性のメモリであり、このフラッシュメモリ１４に記憶されたデータは、ＭＦＰ１の電源オフ後も保持される。フラッシュメモリ１４には、送信先登録メモリ１４ａと、結合モード設定メモリ１４ｂと、画質設定メモリ１４ｃとが設けられている。
【００７８】
送信先登録メモリ１４ａは、送信先のＦＡＸ番号や、送信先の名称などを予め記憶しておくためのメモリである。操作者は、この送信先登録メモリ１４ａに送信先のＦＡＸ番号や送信先の名称などを予め記憶しておけば、上述した送信先選択キー１５ｂを操作して、原稿の送信先を選択することができる。
【００７９】
結合モード設定メモリ１４ｂは、操作者によって結合モード番号「１」〜「９」が１つ選択された場合に、その結合モード番号が記憶されるメモリである。画質設定メモリ１４ｃは、操作者によって画質「標準」，「ファイン（写真）」，「スーパーファイン」が１つ選択された場合に、その画質が記憶されるメモリである。
【００８０】
モデム２３は、ファクシミリ機能によって送信する画像データを、ＩＴＵ−Ｔ（国際電気通信連合  電気通信標準化部門）が勧告しているG３  ＦＡＸ規格やＧ４  ＦＡＸ規格に基づいて電話回線網１００に伝送可能な信号に変調してＮＣＵ２４を介して送信したり、電話回線網１００からＮＣＵ２４を介して入力された信号を受信し、ＬＣＤ１６に表示したりプリンタ２１で記録用紙に記録できるように画像データへ復調するものである。
【００８１】
ＮＣＵ２４は、電話回線網１００と接続されており、電話回線網１００へのダイヤル信号の送出や、電話回線網１００からの呼出信号の応答などの制御を行うものである。
【００８２】
次に、図４（ａ）を参照して、ＭＦＰ１（発呼側装置）と被呼側装置２００との間で、ファクシミリ通信時に送受信される各種信号について説明する。
【００８３】
図４（ａ）は、ＭＦＰ１と被呼側装置２００との間で行われる通信制御の手順の概略を示す概略図である。ＭＦＰ１から被呼側装置２００が発呼されると、呼出信号４１が交換機を介して、被呼側装置２００へ送信される。被呼側装置２００がこの呼出信号４１を受けて電話回線を閉結４２すると、ＭＦＰ１から非音声端末であることを表すＣＮＧ信号４３が被呼側装置２００へ送信される。
【００８４】
被呼側装置２００は、ＣＮＧ信号４３を受信すると、ＣＥＤ信号４４を送信し、続いて、ＣＳＩ信号４５と、ＤＩＳ信号４６とをＭＦＰ１へ送信する。ＣＳＩ信号４５は被呼端末識別信号、即ち、被呼側装置２００のＦＡＸ番号を表す信号である。また、ＤＩＳ信号４６は、被呼側装置２００が有する送受信機能（受信可能な最大の原稿サイズ、解像度、符号化方式（圧縮および復元方式）、通信速度等）をＭＦＰ１に知らせるための信号である。
【００８５】
ＭＦＰ１は、ＤＩＳ信号４６を受信すると、被呼側装置２００で受信可能な最大の原稿サイズを取得して、その原稿サイズを、ＲＡＭ１３の被呼側原稿サイズメモリ１３ｅに記憶する。そして、ＴＳＩ信号４７と、ＤＣＳ信号４８とを被呼側装置２００へ送信する。
【００８６】
ＴＳＩ信号４７は発呼端末識別信号、即ち、ＭＦＰ１のＦＡＸ番号を表す信号である。また、ＤＣＳ信号４８は、ＭＦＰ１が、ＤＩＳ信号４６により示された被呼側装置２００の送受信機能に基づいて決定した送信パラメータ（送信する原稿サイズ、解像度、符号化方式、通信速度等）を被呼側装置２００へ知らせるための信号である。
【００８７】
ＭＦＰ１は、結合送信フラグメモリ１３ｇの結合送信フラグがオンであり、且つ、被呼側原稿サイズメモリ１３ｅの原稿サイズが、結合画像サイズメモリ１３ｆの結合画像サイズと同じか又は大きい場合に、その結合画像サイズで画像データを送信する（すなわち、結合画像を送信する）ことを、このＤＣＳ信号４８により被呼側装置２００へ知らせる。
【００８８】
また、結合送信フラグがオフである場合や、被呼側原稿サイズメモリ１３ｅの原稿サイズが、結合画像サイズメモリ１３ｆの結合画像サイズより小さい場合には、原稿サイズメモリ１３ｂの原稿サイズで画像データを送信する（すなわち、結合せずにそのまま送信する）ことを被呼側装置２００へ知らせる。
【００８９】
そして、ＭＦＰ１は、ＤＣＳ信号４８の送信後、ＴＣＦ信号４９を被呼側装置２００へ送信する。ＴＣＦ信号４９は、被呼側装置２００が正常にデータ受信できるか否かを確かめるための信号である。被呼側装置２００は、ＴＣＦ信号４９を正常に受信できた場合に、ＣＦＲ信号５０を送信して、画像データの受信準備が整ったこと、及び、画像データの送信を開始して良いことをＭＦＰ１へ知らせる。
【００９０】
ＭＦＰ１は、ＣＦＲ信号５０を受信すると、ＰＩＸ信号５１と、ＭＰＳ信号５２またはＥＯＰ信号５４とを被呼側装置２００へ送信する。ＰＩＸ信号５１は、一の画像データを被呼側装置２００へ送信するための信号である。ＭＰＳ信号５２は、ＰＩＸ信号５１による画像データの送信が終了したこと、及び、まだ未送信の画像データが残っていることを知らせるとともに、被呼側装置２００が正常に画像データを受信できたかを確かめるための信号である。ＥＯＰ信号５４は、ＰＩＸ信号５１による画像データの送信が終了したこと、及び、全ての画像データの送信が終了して次に送信する画像データが無いことを知らせるとともに、被呼側装置２００が正常に画像データを受信できたかを確かめるための信号である。
【００９１】
ここで、図４（ｂ）を参照して、ＰＩＸ信号５１によって被呼側装置２００へ送信される画像データについて説明する。
【００９２】
図４（ｂ）は、ＰＩＸ信号５１によって被呼側装置２００へ送信される画像データの内容の一例を示すイメージ図である。上述したように、ファクシミリ通信の規格では、被呼側装置２００へ送信するべき画像データの形式が予め定められている。
【００９３】
具体的には、図４（ｂ）に示すように、被呼側装置２００へ送信される画像データは、画像サイズに関係なく、主走査方向の画像を解像度「２０３．２ｄｐｉ」で構成するものと定められている。そして、画質が「標準」と選択されている場合は、副走査方向の画像を解像度「９７．７ｄｐｉ」で構成するものと定められている。なお、画質が「ファイン（写真）」と選択されている場合は、副走査方向の画像を解像度「１９５．５ｄｐｉ」で構成し、画質が「スーパーファイン」と選択されている場合は、解像度「３８１．１ｄｐｉ」で構成するものと定められている。
【００９４】
なお、主走査方向は、特許請求の範囲に記載の第１方向の一例に該当し、副走査方向は、特許請求の範囲に記載の第２方向の一例に該当する。また、主走査方向の画像の解像度は、特許請求の範囲に記載の第１解像度に該当し、副走査方向の画像の解像度は、特許請求の範囲に記載の第２解像度に該当する。
【００９５】
ここで、図４（ａ）の説明に戻る。結合送信フラグメモリ１３ｇの結合送信フラグがオンであり、且つ、被呼側原稿サイズメモリ１３ｅの原稿サイズが、結合画像サイズメモリ１３ｆの結合画像サイズと同じか又は大きい場合は、上述したＰＩＸ信号５１によって、結合原稿画像メモリ１３ｈに記憶されている結合画像データの中で、生成された順番が最も早い結合画像データが一つ送信される。
【００９６】
また、結合送信フラグがオフである場合や、被呼側原稿サイズメモリ１３ｅの原稿サイズが、結合画像サイズメモリ１３ｆの結合画像サイズより小さい場合には、ＰＩＸ信号５１によって、原稿画像メモリ１３ｄに記憶されている画像データの中で、生成された順番が最も早い画像データが一つ送信される。
【００９７】
被呼側装置２００は、ＰＩＸ信号５１により送信された画像データを正常に受信できた場合に、ＭＰＳ信号５２またはＥＯＰ信号５４を受信すると、ＭＣＦ信号５３をＭＦＰ１へ送信する。ＭＣＦ信号５３は、ＰＩＸ信号５１により送信された画像データを正常に受信できたことを、ＭＦＰ１に知らせるための信号である。
【００９８】
ＭＦＰ１は、ＭＣＦ信号５３を受信した場合に、被呼側装置２００へ送信すべき画像データが、結合原稿画像メモリ１３ｈや原稿画像メモリ１３ｄの中に複数残っていれば、ＰＩＸ信号５１と、ＭＰＳ信号５２との送信を繰り返して、画像データが生成された順番に、一つずつ各画像データを被呼側装置２００へ送信する。そして、最後の画像データを送信する場合に、ＰＩＸ信号５１と、ＥＯＰ信号５４とを被呼側装置２００へ送信する。
【００９９】
一方、ＭＦＰ１は、最後の画像データを送信した後にＭＣＦ信号５３を受信すると、閉結中の電話回線を開放することを表すＤＣＮ信号５５を被呼側装置２００へ送信し、電話回線を開放する。
【０１００】
以上説明したように、ＭＦＰ１と被呼側装置２００との間で各種信号の送受信が行われて、ファクシミリ通信が行われる。
【０１０１】
次に、図５（ａ）を参照して、ＭＦＰ１のＣＰＵ１１により実行されるＦＡＸ送信処理について説明する。
【０１０２】
図５（ａ）は、ＭＦＰ１のＦＡＸ送信処理を示すフローチャートである。このＦＡＸ送信処理は、原稿の画像を被呼側装置２００へ送信するための処理であり、複数の原稿の画像を被呼側装置２００へ送信する場合に、原稿の画像を１枚分ずつ、原稿の画像を２枚分ずつ結合して、または、原稿の画像を４枚分ずつ結合して、被呼側装置２００へ送信するための処理である。なお、このＦＡＸ送信処理は、送信設定画面表示キー１５ａが押下された場合に実行される処理である。
【０１０３】
ＦＡＸ送信処理では、まず、ＲＡＭ１３の各メモリ１３ａ〜１３ｈを初期化する（Ｓ１）。次に、フラッシュメモリ１４の結合モード設定メモリ１４ｂに記憶されている結合モード番号と、画質設定メモリ１４ｃに記憶されている画質とを取得して、その内容を示すＦＡＸ送信設定画面をＬＣＤ１６に表示する（Ｓ２）。
【０１０４】
ここで、図５（ｂ）を参照して、ＬＣＤ１６に表示されるＦＡＸ送信設定画面について説明する。
【０１０５】
図５（ｂ）は、ＦＡＸ送信設定画面の内容の一例を示すイメージ図である。ＦＡＸ送信設定画面には、ＦＡＸ番号情報３１と、画質情報３２と、結合送信情報３３と、結合モード情報３４とが表示されている。
【０１０６】
ＦＡＸ番号情報３１は、原稿の画像を送信する送信先を示す情報である。送信先選択キー１５ｂによって送信先が選択された場合には、その選択された送信先のＦＡＸ番号と、送信先の名称とが表示される。また、数字キー１５ｃによって、送信先のＦＡＸ番号が入力された場合には、その入力されたＦＡＸ番号が表示される。例えば、送信先選択キー１５ｂによって、Ａ社が送信先として選択された場合は、「ＦＡＸ番号  ０５２−ＸＸＸＸ−ＸＸＸＸ（Ａ社）」と表示される。
【０１０７】
画質情報３２は、送信先の被呼側装置２００へ送信する画像の画質を示す情報である。画質設定メモリ１４ｃに画質が「標準」と記憶されている場合は、「画質：  標準」と表示される。なお、画質選択キー１５ｄが押下される度に、画質の設定が順番に変更される。例えば、「標準」→「ファイン（写真）」→「スーパーファイン」→「標準」という順番で画質の設定が変更される。画質の設定が変更された場合は、その変更された画質が画質設定メモリ１４ｃに記憶される。
【０１０８】
結合送信情報３３は、原稿の画像を結合して被呼側装置２００へ送信するか否かを示す情報である。例えば、結合モード設定メモリ１４ｂに記憶されている結合モード番号が「１」〜「５」である場合は、「結合画像送信：  ＯＮ」と表示される。また、記憶されている結合モード番号が「６」〜「９」である場合は、「結合画像送信：  ＯＦＦ」と表示される。
【０１０９】
結合モード情報３４は、被呼側装置２００へ送信する画像の結合形式を示す情報である。例えば、結合モード設定メモリ１４ｂに記憶されている結合モード番号が「１」である場合は、「結合モード：  Ａ４×２枚  →  Ａ３×１枚」と表示される。なお、結合モード選択キー１５ｅが押下される度に、結合モード設定メモリ１４ｂに記憶されている結合モード番号の設定が順番に変更される。例えば、「１」→「２」→「３」・・・→「９」→「１」という順番で結合モード番号の設定が変更される。結合モード番号が変更された場合は、その変更された番号が、結合モード設定メモリ１４ｂに記憶される。
【０１１０】
上述したように、操作者は、このＦＡＸ送信設定画面がＬＣＤ１６に表示されている場合に、送信先選択キー１５ｂや、数字キー１５ｃや、画質選択キー１５ｄや、結合モード選択キー１５ｅなどの各種キーを操作することで、送信先や、送信先へ送信する画像の画質や、画像を結合して送信するか否かの設定や、画像の結合形式などを指定することができる。そして、そのＦＡＸ送信設定画面がＬＣＤ１６に表示されている場合に、ＦＡＸ送信開始キー１５ｆが押下されると、ＦＡＸ送信設定画面の表示内容に従って原稿の画像データが送信される。
【０１１１】
ここで、図５（ａ）の説明に戻る。Ｓ２の処理が終了すると、次に、送信先選択キー１５ｂや数字キー１５ｃなどの各種キーが操作されて原稿の送信先が指定され、ＦＡＸ送信開始キー１５ｆが押下されたかを判定する（Ｓ３）。そして、原稿の送信先が指定され、ＦＡＸ送信開始キー１５ｆが押下されるまで待機する（Ｓ３：Ｎｏ）。一方、原稿の送信先が指定され、ＦＡＸ送信開始キー１５ｆが押下された場合は（Ｓ３：Ｙｅｓ）、送信画像サイズ決定処理を実行し（Ｓ４）、次いで、原稿読取処理を実行する（Ｓ５）。
【０１１２】
送信画像サイズ決定処理（Ｓ４）は、送信先の被呼側装置２００へ送信する画像データの画像サイズを決定するための処理であり、原稿読取処理（Ｓ５）は、送信先の被呼側装置２００へ送信する原稿の画像を、スキャナ２０によって読み取るための処理である。なお、スキャナ２０によって複数の原稿の画像が読み取られた場合は、各原稿の画像に応じた画像データが、スキャナ２０によって読み取られた順番に、ＲＡＭ１３の原稿画像メモリ１３ｄ（図２（ｂ）参照）に記憶される。
【０１１３】
Ｓ５の処理が終了すると、次に、ＲＡＭ１３の結合送信フラグメモリ１３ｇに記憶されている結合送信フラグがオンであるかを判定し（Ｓ６）、結合送信フラグがオンである場合は（Ｓ６：Ｙｅｓ）、画像結合処理を実行する（Ｓ７）。
【０１１４】
画像結合処理（Ｓ７）は、原稿読取処理（Ｓ５）において読み取った原稿の画像を２枚分ずつ結合した、または、４枚分ずつ結合した結合画像を生成するための処理である。なお、複数の結合画像が生成された場合は、各結合画像に応じた結合画像データが、その生成された順番に、ＲＡＭ１３の結合画像メモリ１３ｈ（図２（ｃ）参照）に記憶される。
【０１１５】
Ｓ７の処理が終了すると、次に、結合画像メモリ１３ｈに記憶されている結合画像データを、結合画像が生成された順番に、被呼側装置２００へ送信して、電話回線１００を開放し（Ｓ８）、このＦＡＸ送信処理を終了する。
【０１１６】
Ｓ６の処理において、結合送信フラグがオフである場合は（Ｓ６：Ｎｏ）、ＲＡＭ１３の原稿画像メモリ１３ｄに記憶されている画像データを、スキャナ２０によって読み取られた順番に、被呼側装置２００へ送信して、電話回線１００を開放し（Ｓ９）、このＦＡＸ送信処理を終了する。
【０１１７】
以上の図５（ａ）のフローチャートのＦＡＸ送信処理により、複数の原稿の画像を被呼側装置２００へ送信する場合に、原稿の画像を１枚分ずつ、原稿の画像を２枚分ずつ結合して、または、原稿の画像を４枚分ずつ結合して、被呼側装置２００へ送信することができる。
【０１１８】
また、複数の原稿の画像を結合することで、スキャナ２０で読み取ることが可能な最大の原稿サイズを超える大きさの結合画像を生成することができる。すなわち、スキャナ２０の読み取り能力を超える原稿サイズの画像データを、被呼側装置２００へ送信することができる。例えば、読み取り可能な原稿サイズが小さい（例えば、「Ａ５」）小型のスキャナ２０を利用しても、その原稿サイズよりも大きい原稿サイズ（例えば、「Ａ３」）の画像データを被呼側装置２００へ送信することができるので、ＭＦＰ１の装置全体の大きさを小さくすることができるとともに、製造コストも削減することができる。
【０１１９】
次に、図６を参照して、ＭＦＰ１のＣＰＵ１１により実行される送信画像サイズ決定処理（Ｓ４）について説明する。
【０１２０】
図６は、ＭＦＰ１の送信画像サイズ決定処理（Ｓ４）を示すフローチャートである。この送信画像サイズ決定処理（Ｓ４）は、被呼側装置２００へ送信する画像データの画像サイズを決定するための処理である。
【０１２１】
この送信画像サイズ決定処理（Ｓ４）では、まず、フラッシュメモリ１４の結合モード設定メモリ１４ｂに記憶されている結合モード番号を取得し、その結合モード番号に対応する結合モードテーブル（図３（ａ）参照）の原稿サイズを、ＲＡＭ１３の原稿サイズメモリ１３ｂに記憶する（Ｓ１１）。次に、その取得した結合モード番号に対応する結合モードテーブルの結合画像サイズを、ＲＡＭ１３の結合画像サイズメモリ１３ｆに記憶する（Ｓ１２）。
【０１２２】
そして、送信先の被呼側装置２００を呼び出して、電話回線１００を閉結する（Ｓ１３）。図４（ａ）で上述したように、ＭＦＰ１は、ＣＮＧ信号４３を被呼側装置２００へ送信する。被呼側装置２００は、ＣＮＧ信号４３を受信すると、ＣＥＤ信号４４と、ＣＳＩ信号４５と、ＤＩＳ信号４６とをＭＦＰ１へ送信する。そして、ＭＦＰ１は、被呼側装置２００から送信されるＤＩＳ信号４６を受信すると、そのＤＩＳ信号４６に含まれる複数の情報から被呼側装置２００で受信可能な原稿サイズを取得し、ＲＡＭ１３の被呼側原稿サイズメモリ１３ｅに記憶する（Ｓ５）。
【０１２３】
次に、結合画像送信が選択されているかを判定する（Ｓ１５）。すなわち、結合モード設定メモリ１４ｂに記憶されている結合モード番号が、「１」〜「５」であるかを判定する。Ｓ１５の処理において、結合モード番号が「１」〜「５」である場合は（Ｓ１５：Ｙｅｓ）、被呼側装置２００で受信可能な原稿サイズが、結合画像サイズメモリ１３ｆに記憶されている結合画像サイズ以上であるかを判定する（Ｓ１６）。具体的には、被呼側原稿サイズメモリ１３ｅの原稿サイズと、結合画像サイズメモリ１３ｆの結合画像サイズとが比較される。
【０１２４】
Ｓ１６の処理において、被呼側原稿サイズメモリ１３ｅの原稿サイズが、結合画像サイズメモリ１３ｆの画像サイズ以上である場合は（Ｓ１６：Ｙｅｓ）、ＲＡＭ１３の結合送信フラグメモリ１３ｇの結合送信フラグをオンに設定し（Ｓ１７）、ＤＣＳ信号４８を被呼側装置２００へ送信し、結合画像サイズメモリ１３ｆの結合画像サイズで、画像データを送信することを被呼側装置２００へ通知する（Ｓ１８）。すなわち、スキャナ２０で読み取った複数の原稿の画像を２枚分ずつ結合して、または、４枚分ずつ結合して被呼側装置２００へ送信するのである。そして、この送信画像サイズ決定処理を終了する。
【０１２５】
Ｓ１５の処理において、結合モード番号が「６」〜「９」である場合（Ｓ１５：Ｎｏ）、および、Ｓ１６の処理において、被呼側原稿サイズメモリ１３ｅの原稿サイズが、結合画像サイズメモリ１３ｆの結合画像サイズ未満である場合は（Ｓ１６：Ｎｏ）、操作者が送信を所望する結合画像サイズの結合画像データを被呼側装置２００へ送信することができないので、結合送信フラグメモリ１３ｇの結合送信フラグをオフに設定する（Ｓ１９）。
【０１２６】
そして、ＤＣＳ信号４８を被呼側装置２００へ送信し、原稿サイズメモリ１３ｂの原稿サイズ（スキャナ２０で読み取った原稿サイズ）で、画像データを送信することを被呼側装置２００へ通知し（Ｓ２０）、この送信画像サイズ決定処理を終了する。
【０１２７】
以上の図６のフローチャートの送信画像サイズ決定処理により、操作者が送信を所望する結合画像サイズと、被呼側装置２００で受信可能な原稿サイズとを比較して、被呼側装置２００で受信可能な原稿サイズが、操作者が送信を所望する結合画像サイズ以上である場合に、その結合画像サイズで結合画像データを被呼側装置２００へ送信することができ、それ以外の場合は、原稿サイズメモリ１３ｂの原稿サイズで画像データを送信することができる。
【０１２８】
次に、図７を参照して、ＭＦＰ１のＣＰＵ１１により実行される原稿読取処理（Ｓ５）について説明する。
【０１２９】
図７は、ＭＦＰ１の原稿読取処理（Ｓ５）を示すフローチャートである。この原稿読取処理（Ｓ５）は、被呼側装置２００へ送信する原稿の画像をスキャナ２０によって読み取るための処理である。
【０１３０】
この原稿読取処理（Ｓ５）では、まず、ＲＡＭ１３の結合送信フラグメモリ１３ｇの結合送信フラグがオンであるかを判定する（Ｓ３１）。結合送信フラグがオンである場合は（Ｓ３１：Ｙｅｓ）、フラッシュメモリ１４の結合モード設定メモリ１４ｂに記憶されている結合モード番号を取得し、その結合モード番号に対応する結合モードテーブル（図３（ａ）参照）の原稿の結合枚数が、「２枚」であるかを判定する（Ｓ３２）。なお、本実施形態では、原稿の結合枚数は「２枚」または「４枚」しかなく、「２枚」の場合には、原稿の画像の主走査方向Ｘを読み取る解像度と、原稿の画像の副走査方向Ｙを読み取る解像度とを入れ替える。
【０１３１】
Ｓ３２の処理において、原稿の結合枚数が「２枚」である場合は（Ｓ３２：Ｙｅｓ）、フラッシュメモリ１４の画質設定メモリ１４ｃに記憶されている画質を取得し、その画質に対応する送信解像度テーブル（図３（ｃ）参照）の主走査方向解像度と、副走査方向解像度とを抽出する。そして、抽出した主走査方向解像度を、ＲＡＭ１３の読取解像度メモリ１３ａの副走査解像度メモリ１３ａ２に記憶し、抽出した副走査方向解像度を、主走査方向解像度メモリ１３ａ１に記憶する（Ｓ３３）。すなわち、抽出した主走査方向解像度と、副走査方向解像度とを、通常の場合と入れ替えて、読取解像度メモリ１３ａに記憶する。
【０１３２】
Ｓ３１の処理において、結合送信フラグがオフである場合（Ｓ３１：Ｎｏ）、および、Ｓ３２の処理において、原稿の結合枚数が「２枚」以外ある場合は（Ｓ３２：Ｎｏ）、画質設定メモリ１４ｃの画質を取得し、その画質に対応する送信解像度テーブルの主走査方向解像度と、副走査方向解像度とを抽出する。そして、抽出した主走査方向解像度を入れ替えずに主走査解像度メモリ１３ａ１に記憶し、抽出した副走査方向解像度を入れ替えずに副走査方向解像度メモリ１３ａ２に記憶する（Ｓ３４）。
【０１３３】
次に、読取解像度メモリ１３ａに記憶されている各解像度と、原稿サイズメモリ１３ｂに記憶されている原稿サイズとに従って、スキャナ２０によって原稿の画像を読み取る。すなわち、原稿サイズメモリ１３ｂの原稿サイズに応じた（スキャナ２０の載置用ガラス板上の）領域において、原稿の結合枚数が「２枚」であれば、主走査方向Ｘおよび副走査要項Ｙの解像度を入れ替えて原稿の画像を読み取り、原稿の結合枚数が「４枚」であれば、主走査方向Ｘおよび副走査方向Ｙの解像度を入れ替えずに原稿の画像を読み取る。そして、読み取った画像に応じた画像データを原稿画像メモリ１３ｄに記憶する（Ｓ３５）。
【０１３４】
次に、ＲＡＭ１３の原稿枚数メモリ１３ｃの値に「１」を加算し（Ｓ３６）、原稿の読み取りが終了したかを判定する（Ｓ３７）。例えば、操作者が１枚ずつ原稿の読み取り開始指示を入力してスキャナ２０によって原稿を読み取らせ、操作者によって原稿の読み取り終了指示が入力された場合に、原稿の読み取りが終了したと判定する。また、自動原稿搬送機構（ＡＤＦ：Ａｕｔｏ  Ｄｏｃｕｍｅｎｔ  Ｆｅｅｄｅｒ、以下、「ＡＤＦ」と称す）を設けておく。そして、操作者によってＡＤＦに複数の原稿がセットされたら、読み取る原稿が無くなるまでスキャナ２０で原稿を繰り返し読み取らせ、読み取る原稿が無くなった場合に、原稿の読み取りが終了したと判定する。
【０１３５】
Ｓ３７の処理において、原稿の読み取りが終了していない場合は（Ｓ３７：Ｎｏ）、Ｓ３５の処理の戻り、上述したＳ３５〜Ｓ３７の各処理を繰り返す。なお、複数の原稿が読み取られる場合は、各原稿の画像に応じた画像データが、原稿の読み取られた順番に、原稿画像メモリ１３ｄ（図２（ｂ）参照）に記憶される。Ｓ３７の処理において、原稿の読み取りが終了した場合は（Ｓ３７：Ｙｅｓ）、この原稿読取処理を終了する。
【０１３６】
以上の図７のフローチャートの原稿読取処理により、被呼側装置２００へ送信する複数の原稿の画像をスキャナ２０によって読み取り、各原稿の画像に応じた画像データを、原稿を読み取った順番に、原稿画像メモリ１３ｄに記憶することができる。
【０１３７】
また、原稿の結合枚数が「２枚」であれば、主走査方向Ｘおよび副走査方向Ｙの解像度を入れ替えて原稿の画像を読み取り、原稿の結合枚数が「４枚」であれば、主走査方向Ｘおよび副走査方向Ｙの解像度を入れ替えずに原稿の画像を読み取ることができる。
【０１３８】
結合画像データは、画質が「標準」であれば、主走査方向の結合画像の解像度を「２０３．２ｄｐｉ」で構成し、副走査方向の結合画像の解像度を「９７．７ｄｐｉ」で構成しなければならないので、原稿の画像を結合する前に各画像の解像度を変更する処理や、原稿の画像を結合した後に結合画像の解像度を変更する処理を行わなければならない。しかし、上述したように、予め、原稿の主走査方向Ｘの画像および副走査方向Ｙの画像を、所定の解像度で読み取ることで、画像の解像度を変更する処理を行わなくて良い。よって、結合画像を生成する時間を軽減することができるとともに、画像の解像度を変更する処理によって画像の潰れなどが生じる可能性を抑制することができる。
【０１３９】
次に、図８を参照して、ＭＦＰ１のＣＰＵ１１により実行される画像結合処理（Ｓ７）について説明する。
【０１４０】
図８は、ＭＦＰ１の画像結合処理（Ｓ７）を示すフローチャートである。この画像結合処理（Ｓ７）は、原稿読取処理（Ｓ５）において読み取った原稿の画像を２枚分ずつ結合した、または、４枚分ずつ結合した結合画像を生成するための処理である。
【０１４１】
この画像結合処理（Ｓ７）では、まず、フラッシュメモリ１４の結合モード設定メモリ１４ｂに記憶されている結合モード番号を取得し、その結合モード番号に対応する結合モードテーブル（図３（ａ）参照）の原稿の結合枚数が、「２枚」であるかを判定する（Ｓ４１）。
【０１４２】
Ｓ４１の処理において、原稿の結合枚数が「２枚」である場合は（Ｓ４１：Ｙｅｓ）、ＲＡＭ１３の原稿画像メモリ１３ｄ（図２（ｂ）参照）に記憶されている画像データを、原稿を読み取った順番に２つ読み取る（Ｓ４２）。ここで、画像データを１つしか読み取れない場合、すなわち、２つ目の画像データが存在しない場合は、白無地の原稿をスキャナ２０で読み取った場合に生成される白のみの画像データ（以下、「白紙画像データ」と称する）を、２つ目の画像データとして用いる。
【０１４３】
次に、２つの画像データの画像をそれぞれ右回りに９０度回転させ（Ｓ４３）、結合モード設定メモリ１４ｂの結合モード番号に対応する結合モードテーブル（図３（ａ）参照）の画像配列パターンに従って、その２つの画像データの画像を結合した結合画像を生成する（Ｓ４４）。
【０１４４】
ここで、図９を参照して、原稿の画像を２枚分ずつ結合する処理の一例について説明する。
【０１４５】
図９（ａ）は、原稿の画像を２枚分ずつ結合する場合に、結合画像メモリ１３ｈに記憶される結合画像データの内容の一例を示すイメージ図である。図９（ｂ）は、原稿の画像を２枚分ずつ結合する場合に、原稿画像メモリ１３ｄに記憶される画像データの内容の一例を示すイメージ図である。
【０１４６】
上述したように、被呼側装置２００へ送信する画像データは、送信する画像の画質が「標準」であれば、画像サイズに関係なく、主走査方向Ｘの画像を解像度「２０３．２ｄｐｉ」で構成し、副走査方向Ｙの画像を解像度「９７．７ｄｐｉ」で構成しなければならない。すなわち、図９（ａ）に示すように、２つの画像を結合した結合画像の主走査方向Ｘの解像度を「２０３．２ｄｐｉ」で構成し、副走査方向Ｙの解像度を「９７．７ｄｐｉ」で構成しなければならない。
【０１４７】
本実施形態では、原稿の画像を２枚分ずつ結合して被呼側装置２００へ送信する場合に、予め、原稿の画像の主走査方向Ｘを読み取る解像度と、副走査方向Ｙを読み取る解像度とを入れ替えて、原稿の画像を読み取っている。よって、図９（ｂ）に示すように、原稿の画像の主走査方向Ｘが「９７．７ｄｐｉ」で構成され、副走査方向Ｙが「２０３．２ｄｐｉ」で構成される画像データが生成されて、原稿画像メモリ１３ｄに記憶される。
【０１４８】
このようにすれば、原稿の画像を結合する前に画像の解像度を変換したり、画像を結合した後に結合画像の解像度を変換する必要がないので、画像の解像度を変換する場合と比較して、結合画像の画像データを解像度の劣化を生じさせずに早く生成することができる。
【０１４９】
ここで、図８のフローチャートの説明に戻る。Ｓ４４の処理が終了すると、次に、生成した結合画像に応じた結合画像データを、ＲＡＭ１３の結合画像メモリ１３ｈ（図２（ｃ）参照）に記憶し（Ｓ４５）、原稿枚数メモリ１３ｃに記憶されている値から「２」を減算する（Ｓ４６）。
【０１５０】
次に、その原稿枚数メモリ１３ｃの値が「１」以上であるかを判定し（Ｓ４７）、「１」以上である場合は（Ｓ４７：Ｙｅｓ）、結合されていない画像の画像データが原稿画像メモリ１３ｄの中に残っているので、Ｓ４２の処理に戻り、上述したＳ４２〜Ｓ４７の各処理を繰り返す。一方、原稿枚数メモリ１３ｃの値が「１」未満である場合は（Ｓ４７：Ｎｏ）、この画像結合処理を終了する。
【０１５１】
Ｓ４１の処理において、原稿の結合枚数が「４枚」である場合は、ＲＡＭ１３の原稿画像メモリ１３ｄに記憶されている画像データを、画像データが生成された順番に４つ読み取る（Ｓ４８）。ここで、画像データを１〜３つしか読み取れない場合、すなわち、２〜４つ目の画像データが存在しない場合は、上述した白紙画像データを、２〜４つ目の画像データとして用いる。
【０１５２】
次に、結合モード設定メモリ１４ｂの結合モード番号に対応する結合モードテーブルの画像配列パターンに従って、その４つの画像データの画像を結合した結合画像を生成する（Ｓ４９）。
【０１５３】
ここで、図１０を参照して、原稿の画像を４枚分ずつ結合する処理の一例について説明する。
【０１５４】
図１０（ａ）は、原稿の画像を４枚分ずつ結合する場合に、結合画像メモリ１３ｈに記憶される結合画像データの内容の一例を示すイメージ図である。図１０（ｂ）は、原稿の画像を４枚分ずつ結合する場合に、原稿画像メモリ１３ｄに記憶される画像データの内容の一例を示すイメージ図である。
【０１５５】
図１０（ａ）に示すように、被呼側装置２００へ送信する４つの画像を結合した結合画像は、主走査方向Ｘの画像の解像度が「２０３．２ｄｐｉ」で構成され、副走査方向Ｙの画像の解像度が「９７．７ｄｐｉ」で構成されていなければならない。
【０１５６】
本実施形態では、原稿の画像を４枚分ずつ結合して送信する場合に、予め、原稿の主走査方向Ｘの画像を解像度「２０３．２ｄｐｉ」で読み取り、副走査方向Ｙの画像を解像度「９７．７ｄｐｉで読み取っている。よって、図１０（ｂ）に示すように、原稿の画像の主走査方向Ｘが「２０３．２ｄｐｉ」で構成され、副走査方向Ｙが「９７．７ｄｐｉ」で構成される画像データが生成され、原稿画像メモリ１３ｄに記憶される。
【０１５７】
このようにすれば、原稿の画像を結合する前に画像の解像度を変換したり、画像を結合した後に結合画像の解像度を変換する必要がないので、画像の解像度を変換する場合と比較して、結合画像の画像データを解像度の劣化を生じさせずに早く生成することができる。
【０１５８】
ここで、図８のフローチャートの説明に戻る。Ｓ４９の処理が終了すると、次に、生成した結合画像に応じた結合画像データを、ＲＡＭ１３の結合画像メモリ１３ｈに記憶し（Ｓ５０）、原稿枚数メモリ１３ｃに記憶されている値から「４」を減算する（Ｓ５１）。
【０１５９】
そして、原稿枚数メモリ１３ｃの値が「１」以上であるかを判定し（Ｓ５２）、「１」以上である場合は（Ｓ５２：Ｙｅｓ）、結合されていない画像の画像データが原稿画像メモリ１３ｄの中に残っているので、Ｓ４８の処理に戻り、上述したＳ４８〜Ｓ５２の各処理を繰り返す。一方、原稿枚数メモリ１３ｃの値が「１」未満である場合は（Ｓ５２：Ｎｏ）、この画像結合処理を終了する。
【０１６０】
以上の図８のフローチャートの画像結合処理により、原稿読取処理（Ｓ５）において読み取った原稿の画像を２枚分ずつ結合した、または、４枚分ずつ結合した結合画像を生成することができる。
【０１６１】
また、複数の原稿の画像は、結合モードテーブルの画像配列パターンに従って配置されて結合されるので、複数の原稿の画像が無規則に配置されて結合される場合と比較して、その結合された結合画像の内容を見る受信者が、各原稿の画像の内容を理解し易い。
【０１６２】
また、原稿の結合枚数分の画像データを、ＲＡＭ１３の原稿画像メモリ１３ｄから読み取れない場合には、不足した画像データの代用として白紙画像データが用いられる。生成する結合画像データの結合画像サイズを、全て同じ原稿サイズに統一しておけば、被呼側装置２００へ各結合画像データが送信された後に、被呼側装置２００において全て同じ原稿サイズの記録用紙に各結合画像データの画像が記録されることになる。よって、その記録用紙を読む相手が、同じ原稿サイズの記録用紙で各結合画像データの結合画像を確認することができるので、原稿サイズの異なる記録用紙が混在する場合よりも、結合画像を確認し易い。
【０１６３】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１６４】
例えば、本実施形態では、操作者が結合モード選択キー１５ｅを操作して、結合モード番号を選択した場合に、結合する原稿の画像の数が設定されるが、原稿の画像が結合可能な最大数で結合されるように構成しても良い。例えば、スキャナ２０で原稿を読み取る場合に原稿のサイズを判別して原稿の画像を読み取る。そして、被呼側装置２００で受信可能な原稿サイズの中に、原稿の画像全体を配置可能な原稿の画像の最大数を算出する。そして、読み取った原稿の画像を、算出した最大数分ずつ結合した結合画像を生成し、被呼側装置２００へ送信するように構成する。このように構成することで、操作者が結合モード番号を選択するなどの設定の手間を省くことができる。また、原稿の画像を最大数分ずつ結合して送信するので、最大数以下で結合して送信する場合と比較して、送信時間を軽減することができる。また、原稿の画像が欠けたり又は切れたりせずに各原稿の画像全体が結合された結合画像の結合画像データを被呼側装置２００へ送信することができる。
【０１６５】
また、本実施形態では、操作者が結合モード選択キー１５ｅを操作して、結合モード番号を選択した場合に、結合する原稿の画像の数が設定されるが、結合可能な原稿の画像の種類を全てＬＣＤ１６に表示して、操作者が任意に選択できるように構成しても良い。例えば、スキャナ２０で原稿を読み取る場合に原稿のサイズを判別して原稿の画像を読み取る。そして、被呼側装置２００で受信可能な原稿サイズの中に配置可能な原稿の画像の最大数を算出する。例えば、最大数が「４」であれば、「１枚（結合しない）」、「２枚」、「４枚」というように、結合可能な数を全てＬＣＤ１６に表示させ、キー操作などで何れか１つを選択できるように構成する。このように構成することで、被呼側装置２００へ送信可能な結合枚数が確定した後に、操作者が任意に結合枚数を選択することができるので、予め結合枚数を設定していたにもかかわらず、その結合枚数で画像を結合して被呼側装置２００へ送信できなかったというような不都合を抑制することができる。また、操作者は、ＬＣＤ１６に表示される結合枚数の中から、容易に一の結合枚数を選択することができるので、使い勝手が良い。
【０１６６】
また、本実施形態では、読み取った原稿の画像を拡大（縮小）せずに、そのまま結合しているが、拡大した画像を結合しても良いし、縮小した画像を結合してもよい。また、拡大（縮小）していないそのままの画像や、拡大した画像や、縮小した画像をそれぞれ任意に組み合わせて結合しても良い。例えば、画像サイズが同一である画像（拡大した画像同士、縮小した画像同士、そのままの画像同士）を複数結合させる場合に、結合する画像の数をＸとし、２を底とするＸの対数を求めて、小数点以下を切り上げた整数をｎとする。そのｎが奇数で有れば、図７のＳ３３の処理のように、主走査方向Ｘおよび副走査方向Ｙの解像度を入れ替えて原稿の画像を読み取る。ｎが偶数であれば、Ｓ３４の処理のように、主走査方向Ｘおよび副走査方向Ｙの解像度を入れ替えずに原稿の画像を読み取る。このように構成することで、結合枚数が「２枚」や「４枚」だけでなく、結合枚数が「２を底とした指数ｎ（ｎは１以上の整数）」で示される場合に、本実施形態を適用することができる。また、原稿の画像の結合に規則性を持たせた結合画像を生成することができる。
【０１６７】
また、本実施形態では、複数の原稿の画像を結合して被呼側装置２００へ送信する場合に、原稿の結合枚数は「２枚」または「４枚」であるが、原稿の結合枚数は任意の数であっても良い。
【０１６８】
また、被呼側装置２００へ送信される結合画像をＬＣＤ１６に表示するように構成しても良い。例えば、結合画像の全体が表示されても良いし、一部が表示されても良い。操作者は、ＬＣＤ１６に表示される結合画像を見ることで、結合画像が適切に生成された画像であるかを簡単に認識することができる。
【０１６９】
また、本実施形態では、結合させる画像データが存在しなない場合（不足している場合）は、白紙画像データを用いて結合しているが（図８のＳ４２の処理、Ｓ４８の処理）、結合できた分だけ結合画像データを結合して送信し、結合できない分の画像データは、１つずつ被呼側装置２００へ送信するように構成しても良い。
【０１７０】
また、上述した実施形態では、原稿サイズとして、「Ａ３」や「Ａ４」や「Ｂ４」のような用紙寸法の名称を用いているが、実際の用紙寸法であっても良いし、原稿サイズを識別できるものなら記号でも数値でも何でも良い。
【０１７１】
また、本実施形態では、被呼側装置２００との通信の開始後に被呼側装置２００から送信されるＤＩＳ信号４６を受信してから原稿を読み取っているが、送信先毎に送信先の被呼側装置２００で受信可能な原稿サイズを記憶しておき、操作者によって送信先が選択されてから、その送信先の被呼側装置２００との通信を開始する前に原稿を読み取るように構成しても良い。具体的には、各原稿を読み取ったら、各原稿の画像データをＲＡＭ１３の原稿画像メモリ１３ｄに記憶するとともに、その送信先の被呼側装置２００で受信可能な原稿サイズに応じた結合画像データを生成して結合原稿画像メモリ１３ｈに記憶する。その後、被呼側装置２００との通信を開始して、ＤＩＳ信号４６を受信し、被呼側装置２００で受信可能な原稿サイズが、生成した結合画像データの結合画像サイズ以上であるかを判定する。被呼側装置２００で受信可能な原稿サイズが、生成した結合画像データの結合画像サイズ以上であれば、結合原稿画像メモリ１３ｈに記憶した各結合画像データを一つずつ送信し、被呼側装置２００で受信可能な原稿サイズが、生成した結合画像データの結合画像サイズ未満であれば、原稿画像メモリ１３ｄに記憶した各画像データを一つずつ送信する。このように構成すれば、被呼側装置２００との通信の開始後に、原稿を読み取る処理を実行しなくて良いので、被呼側装置２００との通信時間をさらに軽減することができる。
【図面の簡単な説明】
【０１７２】
【図１】本発明の実施形態におけるファクシミリ装置を有したＭＦＰの外観構成を示した斜視図である。
【図２】ＭＦＰの電気的構成を示すブロック図である。
【図３】（ａ）は、結合モードテーブルの内容の一例を示すイメージ図であり、（ｂ）は、画像配列パターンの内容の一例を示すイメージ図であり、（ｃ）は、送信解像度テーブルの内容の一例を示すイメージ図である。
【図４】（ａ）は、ＭＦＰと被呼側装置との間で行われる通信制御の手順の概略を示す概略図であり、（ｂ）は、ＰＩＸ信号によって被呼側装置へ送信される画像データの内容の一例を示すイメージ図である。
【図５】（ａ）は、ＭＦＰのＦＡＸ送信処理を示すフローチャートであり、（ｂ）は、ＦＡＸ送信設定画面の内容の一例を示すイメージ図である。
【図６】ＭＦＰの送信画像サイズ決定処理を示すフローチャートである。
【図７】ＭＦＰの原稿読取処理を示すフローチャートである。
【図８】ＭＦＰの画像結合処理を示すフローチャートである。
【図９】（ａ）は、原稿の画像を２枚分ずつ結合する場合の結合画像メモリ１３ｈの内容の一例を示すイメージ図であり、（ｂ）は、原稿画像メモリの内容の一例を示すイメージ図である。
【図１０】（ａ）は、原稿の画像を４枚分ずつ結合する場合の結合画像メモリ１３ｈの内容の一例を示すイメージ図であり、（ｂ）は、原稿画像メモリの内容の一例を示すイメージ図である。
【符号の説明】
【０１７３】
１                ＭＦＰ（ファクシミリ装置の一例）
１２ｂ            画像配列パターンメモリ（パターン記憶手段の一例）
１３ｄ            原稿画像メモリ（画像記憶手段の一例）
１５ｅ            結合モード選択キー（結合数設定手段の一例）
１６              ＬＣＤ（表示手段の一例）
２００            被呼側装置（相手側装置の一例）
Ｓ５              情報取得手段の一例
Ｓ７              結合情報生成手段の一例
Ｓ８              画像送信手段の一例
Ｓ１１            第１サイズ取得手段の一例
Ｓ１４            第２サイズ取得手段の一例
Ｓ１５〜Ｓ２０    結合サイズ設定手段の一例
Ｓ１６            第１比較手段の一例、第２比較手段の一例
Ｓ１７            配置設定手段の一例
Ｓ３２〜Ｓ３４    解像度設定手段の一例
【図１】
0004941322.tif 000002
【図２】
0004941322.tif 000003
【図３】
0004941322.tif 000004
【図４】
0004941322.tif 000005
【図５】
0004941322.tif 000006
【図６】
0004941322.tif 000007
【図７】
0004941322.tif 000008
【図８】
0004941322.tif 000009
【図９】
0004941322.tif 000010
【図１０】
0004941322.tif 000011